(57)【要約】【課題】対象物を環境光下で観察した場合の色を測定可能な測色装置、画像形成装置及び測色方法を提供すること。【解決手段】測色装置は、複数の波長の光を出射可能な光源部と、対象物により反射された光を測定する測定部と、前記光源部から出力される各波長の光の光量を制御して、所定スペクトルの測定光を形成する光源制御部と、を備え、前記測定部は、前記測定光を前記対象物に照射した際に前記対象物から反射される光を測定することを特徴とする。【選択図】図８
2018169185.tif 000002
【特許請求の範囲】
【請求項１】
複数の波長の光を出射可能な光源部と、
対象物により反射された光を測定する測定部と、
前記光源部から出力される各波長の光の光量を制御して、所定スペクトルの測定光を形
成する光源制御部と、を備え、
前記測定部は、前記測定光を前記対象物に照射した際に前記対象物から反射される光を
測定する
ことを特徴とする測色装置。
【請求項２】
請求項１に記載の測色装置において、
前記光源制御部は、前記測定部において測定される所定波長の光量が所定上限値以下と
なる前記測定光を形成する
ことを特徴とする測色装置。
【請求項３】
請求項１又は請求項２に記載の測色装置において、
前記光源制御部は、前記測定部により、前記測定光において光量が所定下限値未満とな
る波長成分である弱光波長成分に対する測定を実施する際に、前記測定光の各波長成分の
光量比を維持したまま各波長成分の光量を増加させ、
前記測定部により測定された前記弱光波長成分に対する受光量を補正する補正部を備え
る
ことを特徴とする測色装置。
【請求項４】
請求項１から請求項３のいずれか１項に記載の測色装置において、
環境光を前記測定部に導く環境導光部を備え、
前記光源制御部は、前記環境光の測定結果に基づいて、前記測定光を形成する
ことを特徴とする測色装置。
【請求項５】
請求項４に記載の測色装置において、
前記光源部及び前記測定部を内部に収納するケース部を備え、
前記環境導光部は、前記ケース部に設けられた前記環境光を導く導光窓と、前記導光窓
に設けられ当該導光窓の開放及び閉塞を切り替えるシャッターと、を備えている
ことを特徴とする測色装置。
【請求項６】
請求項５に記載の測色装置において、
前記光源部及び前記測定部は、第一方向に移動可能なキャリッジに搭載され、
前記導光窓は、前記キャリッジの前記第一方向に沿う移動範囲における端部位置に設け
られている
ことを特徴とする測色装置。
【請求項７】
請求項４から請求項６のいずれか１項に記載の測色装置において、
前記環境導光部は、前記測定部に前記環境光を反射させる反射部と、前記反射部の姿勢
を変更する姿勢変更部と、を備えている
ことを特徴とする測色装置。
【請求項８】
請求項７に記載の測色装置において、
前記姿勢変更部は、前記反射部の姿勢を、前記反射部により反射された前記環境光を前
記測定部に反射させる第一角度と、前記光源部から出射された光を前記測定部に反射させ
る第二角度とで切り替える
ことを特徴とする測色装置。
【請求項９】
請求項１から請求項８のいずれか１項に記載の測色装置と、
メディアに画像を形成する画像形成部と、を備えた
ことを特徴とする画像形成装置。
【請求項１０】
請求項９に記載の画像形成装置において、
予め設定された前記測定光に関する情報を取得する情報取得部を備えた
ことを特徴とする画像形成装置。
【請求項１１】
複数の波長の光を出射可能な光源部と、対象物により反射された光を測定する測定部と
、を備えた測色装置の測色方法であって、
前記光源部から出力される各波長の光の光量を制御して、所定スペクトルの測定光を形
成し、前記測定光を前記対象物に照射した際に前記対象物から反射される光を前記測定部
で測定する
ことを特徴とする測色方法。
【発明の詳細な説明】
【技術分野】
【０００１】
本発明は、測色装置、画像形成装置及び測色方法に関する。
【背景技術】
【０００２】
従来、入射光の各波長光の光特性を測定する分析装置が知られている（例えば、特許文
献１参照）。
特許文献１の分光測定装置は、光源部から検査対象に光を照射し、検査対象で反射した
光を受光部で測定する。この分光測定装置は、例えば、検査対象の色を測定する測色装置
に用いられる。
【先行技術文献】
【特許文献】
【０００３】
【特許文献１】特開２０１２−１１２８３９号公報
【発明の概要】
【発明が解決しようとする課題】
【０００４】
しかしながら、上記のような分光測定装置によって検査対象の色を測定する場合、次の
ような問題がある。すなわち、検査対象が可視光領域に蛍光を有する紙面等である場合、
測定された色と、環境光下で観察される色とが一致しない場合がある。つまり、蛍光の強
さは、励起光の波長によって変動するため、分光測定装置の光源が出射する光のスペクト
ルと、環境光のスペクトルとが異なる場合、測定された色と、検査対象を環境光下で観察
した場合の色とが異なる場合がある。
【０００５】
本発明は、対象物を環境光下で観察した場合の色を測定可能な測色装置、画像形成装置
及び測色方法を提供することを目的とする。
【課題を解決するための手段】
【０００６】
本発明に係る一適用例の測色装置は、複数の波長の光を出射可能な光源部と、対象物に
より反射された光を測定する測定部と、前記光源部から出力される各波長の光の光量を制
御して、所定スペクトルの測定光を形成する光源制御部と、を備え、前記測定部は、前記
測定光を前記対象物に照射した際に前記対象物から反射される光を測定することを特徴と
する。
【０００７】
本適用例によれば、光源制御部が、光源部を制御して所定スペクトルの測定光を形成で
きるため、環境光のスペクトルと同じスペクトルの測定光を形成することができる。この
ため、当該測定光を対象物に照射した際に対象物から反射される光を測定部が測定するこ
とで、対象物を環境光下で観察した場合の色を測定できる。
【０００８】
本適用例の測色装置において、前記光源制御部は、前記測定部において測定される所定
波長の光量が所定上限値以下となる前記測定光を形成することが好ましい。
対象物により反射された光（反射光）の所定波長の光量が、測定部が測定可能な光量の
最大値を超える場合、サチレーションが起き、当該所定波長に対する光量を正しく測定で
きない。
これに対して、本適用例によれば、所定上限値を前記最大値以下に設定することで、反
射光の所定波長の光量を、上記最大値以下とすることができ、サチレーションを起こさず
に所定波長に対する測定を実施できる。
【０００９】
本適用例の測色装置において、前記光源制御部は、前記測定部により、前記測定光にお
いて光量が所定下限値未満となる波長成分である弱光波長成分に対する測定を実施する際
に、前記測定光の各波長成分の光量比を維持したまま各波長成分の光量を増加させ、前記
測定部により測定された前記弱光波長成分に対する受光量を補正する補正部を備えること
が好ましい。
反射光の波長成分の光量が、測定部が測定可能な光量の最小値よりも小さい場合、当該
波長成分に対する測定を精度良く実施できない。
これに対して、本適用例では、弱光波長成分に対する測定を実施する際に、測定光の各
波長成分の光量を増加させる。これによれば、反射光の弱光波長成分の光量を前記最小値
以上にでき、当該弱光波長成分に対する測定を精度良く実施できる。また、測定光の各波
長成分の光量は、例えば環境光を再現した状態を維持できるように、各波長成分の光量比
を維持したまま増加される。そして、補正部によって測定値（受光量）が光量の増加率に
基づいて補正される。これにより、例えば、ダイナミックレンジがより広い高性能な測定
部を用いて、測定光の光量を増加させず弱光波長成分に対する測定を行った場合と同様の
測定値を、当該高性能な測定部を用いることなく求めることができる。
【００１０】
本適用例の測色装置において、環境光を前記測定部に導く環境導光部を備え、前記光源
制御部は、前記環境光の測定結果に基づいて、前記測定光を形成することが好ましい。
本適用例によれば、環境光の実測値に基づいて測定光を形成できるため、対象物を環境
光下で観察した場合の色をより正確に測定できる。
【００１１】
本適用例の測色装置において、前記光源部及び前記測定部を内部に収納するケース部を
備え、前記環境導光部は、前記ケース部に設けられた前記環境光を導く導光窓と、前記導
光窓に設けられ当該導光窓の開放及び閉塞を切り替えるシャッターと、を備えていること
が好ましい。
本適用例によれば、環境光を測定する場合、導光窓が開放される。これにより、ケース
部の外側の環境光をケース部内に導いて測定できる。このため、測色装置が配置されてい
る場所の環境光を正確に測定できる。
また、測定光の反射光を測定する場合、導光窓は閉塞される。これにより、ケース部の
外側の環境光がケース部内に入ることを回避でき、ノイズが少ない状態で当該反射光を測
定できる。
【００１２】
本適用例の測色装置において、前記光源部及び前記測定部は、第一方向に移動可能なキ
ャリッジに搭載され、前記導光窓は、前記キャリッジの前記第一方向に沿う移動範囲にお
ける端部位置に設けられていることが好ましい。
本適用例によれば、例えば、前記移動範囲における端部位置とは異なる位置に対象物を
配置し、キャリッジを、当該対象物上を第一方向に沿って移動させることで、対象物の複
数個所において対象物により反射された光の測定を実施できる。また、キャリッジを第一
方向に沿って移動させて端部位置に配置し、導光窓を開放させることで、環境光を測定で
きる。
すなわち、キャリッジを第一方向に沿って移動させるだけで、対象物の測定及び環境光
の測定を実施できるため、例えば、キャリッジを第一方向だけではなく、第一方向とは異
なる方向にも移動させて、対象物の測定及び環境光の測定を実施する場合と比べて、測色
装置の構造を簡略化できる。
【００１３】
本適用例の測色装置において、前記環境導光部は、前記測定部に前記環境光を反射させ
る反射部と、前記反射部の姿勢を変更する姿勢変更部と、を備えていることが好ましい。
本適用例によれば、姿勢変更部によって反射部の姿勢を変更することで、測定部に入射
する環境光の光量を調整できる。
このため、例えば、測定部に入射する光の波長成分の光量が、測定可能な光量の最大値
を超える場合、反射部の姿勢を変更して、測定部に入射する光量を小さくすることで、測
定部によってサチレーションを起こさずに環境光の各波長成分の光量を測定できる。
【００１４】
本適用例の測色装置において、前記姿勢変更部は、前記反射部の姿勢を、前記反射部に
より反射された前記環境光を前記測定部に反射させる第一角度と、前記光源部から出射さ
れた光を前記測定部に反射させる第二角度とで切り替えることが好ましい。
本適用例によれば、測定部に環境光を導く反射部を用いて、光源部から出射された光を
測定部に反射させることができる。このため、当該反射部に、例えば、測定の校正を行う
ための白色基準物を用いることで、当該反射部によって、環境光の導入及び校正を実施で
きる。このため、測定部に環境光を導く反射部と、白色基準物とを個別に設ける場合と比
べて、部品点数を削減できる。
【００１５】
本発明に係る一適用例の画像形成装置は、上記のような測色装置と、メディアに画像を
形成する画像形成部と、を備えたことを特徴とする。
上記のような測色装置によれば、対象物が環境光下で観察された場合の色を測定できる
。このため、当該測色装置を備える画像形成装置によれば、測定結果に基づいて色補正を
行うことで、形成された画像を環境光下で観察した場合の色ずれを低減できる。
【００１６】
本適用例の画像形成装置において、予め設定された前記測定光に関する情報を取得する
情報取得部を備えたことが好ましい。
測定光に関する情報とは、例えば、室内や屋外等、所定の場所の環境光のスペクトル情
報である。
本適用例によれば、例えば、画像形成装置が配置されている場所と、メディアに形成さ
れた画像が観察される場所とが異なる場合でも、情報取得部が、当該観察される場所の環
境光のスペクトル情報を取得し、光源制御部が、当該スペクトル情報と同じスペクトルの
測定光を形成することで、対象物を当該観察される場所の環境光下で観察した場合の色を
測定できる。このため、測定結果に基づいて色補正を行うことで、メディアに形成された
画像を当該観察される場所の環境光下で観察した場合の色ずれを低減できる。
【００１７】
本発明に係る一適用例は、複数の波長の光を出射可能な光源部と、対象物により反射さ
れた光を測定する測定部と、を備えた測色装置の測色方法であって、前記光源部から出力
される各波長の光の光量を制御して、所定スペクトルの測定光を形成し、前記測定光を前
記対象物に照射した際に前記対象物から反射される光を前記測定部で測定することを特徴
とする。
本適用例によれば、対象物を環境光下で観察した場合の色を測定できる。
【図面の簡単な説明】
【００１８】
【図１】本発明に係る第一実施形態のプリンターの概略構成を示す図。
【図２】第一実施形態のプリンター本体の外観の構成例を示す図。
【図３】第一実施形態のプリンター本体の概略構成を示すブロック図。
【図４】第一実施形態の分光器の概略構成を示す平面図。
【図５】第一実施形態の光源部が出射する光のスペクトルを示す図。
【図６】第一実施形態の分光デバイスの概略構成を示す断面図。
【図７】第一実施形態の反射機構の概略構成を示す図。
【図８】第一実施形態のＣＰＵの機能構成を示すブロック図。
【図９】第一実施形態の分光測定方法を示すフローチャート。
【図１０】第一実施形態の環境光測定処理を示すフローチャート。
【図１１】第一実施形態の白色板測定処理を示すフローチャート。
【図１２】本発明に係る第二実施形態のＣＰＵの機能構成を示すブロック図。
【図１３】本発明に係る他の実施形態の導光機構の概略構成を示す図。
【図１４】本発明に係るさらに他の実施形態の導光機構の概略構成を示す図。
【発明を実施するための形態】
【００１９】
［第一実施形態］
以下、本発明に係る第一実施形態について、図面に基づいて説明する。本実施形態では
、本発明の画像形成装置の一例として、測色装置を備えたプリンター１（インクジェット
プリンター）について、以下説明する。
【００２０】
［プリンターの概略構成］
図１は、本実施形態のプリンター１の概略構成を示す図である。
図１に示すように、プリンター１は、ケース部３０と、ケース部３０に収納されたプリ
ンター本体１０と、を備えている。
【００２１】
［ケース部の概略構成］
ケース部３０の側面には、外部の環境光をケース部３０内に導く導光窓３１と、導光窓
３１に対してスライドして、導光窓３１の開放及び閉塞を切り替えるシャッター３２と、
シャッター３２をスライド方向に移動させて導光窓３１を開閉させるスライド機構３３（
図３参照）と、が設けられている。スライド機構３３は、シャッター３２をスライドさせ
る構成であれば特に限定されず、例えば、シャッター３２に設けられた歯（ラック部）に
係合するピニオンギアと、当該ピニオンギアを回転させるシャッター駆動モーターとを備
えて構成される。当該スライド機構は、シャッター駆動モーターを駆動してピニオンギア
を回転することで、シャッター３２をスライド方向に移動させ、導光窓３１の開放及び閉
塞を切り替える。
【００２２】
［プリンター本体の概略構成］
図２は、プリンター本体１０の外観の構成例を示す図である。図３は、プリンター本体
１０の概略構成を示すブロック図である。
図２に示すように、プリンター本体１０は、供給ユニット１１、搬送ユニット１２と、
キャリッジ１３と、キャリッジ移動ユニット１４と、制御ユニット１５（図３参照）と、
を備えている。このプリンター本体１０は、例えばパーソナルコンピューター等の外部機
器２０（図３参照）から入力された印刷データに基づいて、各ユニット１１，１２，１４
及びキャリッジ１３を制御し、メディアＭ（対象物）上に画像を印刷する。また、本実施
形態のプリンター本体１０は、予め設定された較正用印刷データに基づいてメディアＭ上
の所定位置に測色用のカラーパッチを形成し、かつ当該カラーパッチに対する分光測定を
行う。これにより、プリンター本体１０は、カラーパッチに対する実測値と、較正用印刷
データとを比較して、印刷されたカラーに色ずれがあるか否か判定し、色ずれがある場合
は、実測値に基づいて色補正を行う。
【００２３】
ここで、本実施形態のプリンター本体１０は、分光測定を行う際、事前に、シャッター
３２を移動させて導光窓３１を開放し、導光窓３１から導入された環境光を測定する。そ
して、当該環境光に応じた測定光を用いて分光測定を行う。これにより、カラーパッチを
環境光の下で観測した場合の色を測定できる。そして、この測定結果に基づいて色補正を
行うことで、印刷された画像を環境光下で観察した場合の色ずれを低減できる。
以下、プリンター本体１０の各構成について具体的に説明する。
【００２４】
供給ユニット１１は、画像形成対象となるメディアＭ（本実施形態では、紙面を例示）
を、画像形成位置に供給するユニットである。この供給ユニット１１は、例えばメディア
Ｍが巻装されたロール体１１１、ロール駆動モーター（図示略）、及びロール駆動輪列（
図示略）等を備える。そして、制御ユニット１５からの指令に基づいて、ロール駆動モー
ターが回転駆動され、ロール駆動モーターの回転力がロール駆動輪列を介してロール体１
１１に伝達される。これにより、ロール体１１１が回転し、ロール体１１１に巻装された
紙面がＹ方向（副走査方向）における下流側（＋Ｙ側）に供給される。
なお、本実施形態では、ロール体１１１に巻装された紙面を供給する例を示すがこれに
限定されない。例えば、トレイ等に積載された紙面等のメディアＭをローラー等によって
例えば１枚ずつ供給する等、如何なる供給方法によってメディアＭが供給されてもよい。
【００２５】
搬送ユニット１２は、供給ユニット１１から供給されたメディアＭを、Ｙ方向に沿って
搬送する。この搬送ユニット１２は、搬送ローラー１２１と、搬送ローラー１２１とメデ
ィアＭを挟んで配置され、搬送ローラー１２１に従動する従動ローラー（図示略）と、プ
ラテン１２２と、を含んで構成されている。
搬送ローラー１２１は、図示略の搬送モーターからの駆動力が伝達され、制御ユニット
１５の制御により搬送モーターが駆動されると、その回転力により回転駆動されて、従動
ローラーとの間にメディアＭを挟み込んだ状態でＹ方向に沿って搬送する。また、搬送ロ
ーラー１２１のＹ方向の下流側（＋Ｙ側）には、キャリッジ１３に対向するプラテン１２
２が設けられている。
【００２６】
キャリッジ１３は、メディアＭに対して画像を印刷する印刷部１６と、メディアＭ上の
所定の測定位置及び後述する白色板１９の分光測定を行う分光器１７と、を搭載している
。
このキャリッジ１３は、キャリッジ移動ユニット１４によって、Ｙ方向と交差する主走
査方向（Ｘ方向）に沿って移動可能に設けられている。
また、キャリッジ１３は、フレキシブル回路１３１により制御ユニット１５に接続され
、制御ユニット１５からの指令に基づいて、キャリッジ１３に搭載された印刷部１６によ
る印刷処理（メディアＭに対する画像形成処理）及び、キャリッジ１３に搭載された分光
器１７による光量測定処理を実施する。
なお、キャリッジ１３の詳細な構成については後述する。
【００２７】
キャリッジ移動ユニット１４は、制御ユニット１５からの指令に基づいて、キャリッジ
１３をＸ方向（第一方向）に沿って往復移動させる。
このキャリッジ移動ユニット１４は、例えば、キャリッジガイド軸１４１と、キャリッ
ジモーター１４２と、タイミングベルト１４３と、を含んで構成されている。
キャリッジガイド軸１４１は、Ｘ方向に沿って配置され、両端部がプリンター本体１０
の例えば筐体に固定されている。キャリッジモーター１４２は、タイミングベルト１４３
を駆動させる。タイミングベルト１４３は、キャリッジガイド軸１４１と略平行に支持さ
れ、キャリッジ１３の一部が固定されている。そして、制御ユニット１５の指令に基づい
てキャリッジモーター１４２が駆動されると、タイミングベルト１４３が正逆走行され、
タイミングベルト１４３に固定されたキャリッジ１３がキャリッジガイド軸１４１にガイ
ドされて往復移動する。
【００２８】
また、プリンター本体１０は、キャリッジ１３の移動範囲における＋Ｘ方向の端部位置
に、環境光測定領域Ｐ１を備えている。そして、環境光測定領域Ｐ１には、反射機構１８
及び白色板１９が設けられている。反射機構１８は、導光窓３１から入射した環境光を反
射して、環境光測定領域Ｐ１に位置しているキャリッジ１３の分光器１７に入射させる。
白色板１９は、分光器１７が行う分光測定の校正に用いる白色基準物である。
【００２９】
次に、キャリッジ１３に設けられる印刷部１６、及び分光器１７の構成について説明す
る。
［印刷部（画像形成部）の構成］
印刷部１６は、本発明の画像形成部であり、メディアＭと対向して設けられ、複数色の
インクを個別にメディアＭ上に吐出して画像を形成する。
この印刷部１６は、複数色のインクに対応したインクカートリッジ１６１が着脱自在に
装着されており、各インクカートリッジ１６１からインクタンク（図示略）にチューブ（
図示略）を介してインクが供給される。また、印刷部１６の下面（メディアＭに対向する
位置）には、インク滴を吐出するノズル（図示略）が、各色に対応して設けられている。
これらのノズルには、例えばピエゾ素子が配置されており、ピエゾ素子を駆動させること
で、インクタンクから供給されたインク滴が吐出されてメディアＭに着弾し、ドットが形
成される。
ここで、印刷部１６を除いたプリンター１の構成部分が、本発明の測色装置に相当する
。
【００３０】
［分光器の構成］
分光器１７は、図３に示すように、光源部１７１と、測定部１７２と、を備える。
この分光器１７は、光源部１７１からメディアＭ又は白色板１９上に照明光を照射し、
メディアＭ又は白色板１９で反射された反射光を、測定部１７２で測定（受光）させる。
また、分光器１７は、導光窓３１及び反射機構１８によって導入された環境光を、測定部
１７２で測定させる。測定部１７２に設けられた分光デバイス１７２Ａは、制御ユニット
１５の制御に基づいて、透過波長を選択可能であり、可視光における各波長の光の光量を
測定することで、メディアＭ、白色板１９及び環境光の分光測定が可能となる。
【００３１】
［光源部の構成］
図４は、分光器１７を、メディアＭ側から見た平面図である。
光源部１７１は、複数の波長の光を出射可能に構成され、本実施形態では、図４に示す
ように、互いに異なる波長の光を出射する１６個の光源１７１Ａを備えている。光源１７
１Ａは、メディアＭ側から見た平面視において、測定部１７２の光軸を中心とする円周に
沿って配列されている。
また、本実施形態では、測色規格（JIS Z 8722）により規定された光学的幾何条件の方
式（４５／０°測色系）に従って分光測定を実施する。すなわち、本実施形態では、図３
に示すように、各光源１７１Ａからの照明光をメディアＭ又は白色板１９の法線に対して
４５°の角度（４５°±２°の角度）で入射させ、メディアＭ又は白色板１９の法線方向
（法線方向に対して１０°以内の角度）に反射された光を測定部１７２で受光する。つま
り、照明光がメディアＭに向かう照明方向と、反射光が測定部１７２に向かう反射方向と
が異なっている。
【００３２】
図５は、光源部１７１が出射する光のスペクトルを示す図である。
図５に示すように、光源部１７１は、具体的には、約４００ｎｍ〜約７００ｎｍの波長
範囲で、２０ｎｍ間隔でピーク波長を持つ、１６個の光源１７１Ａを備えている。光源１
７１Ａには、ＬＥＤやＬＤ（半導体レーザー）等を用いることができる。
ここで、図５では、各光源１７１Ａから出射される光の強度（光量）が均一の場合のス
ペクトルを示しているが、各光源１７１Ａから出射される光の強度は、それぞれ、制御ユ
ニット１５によって調整することができる。すなわち、光源部１７１は、所定スペクトル
の照明光（測定光）を出射することができる。
【００３３】
［測定部の構成］
測定部１７２は、図３に示すように、分光デバイス１７２Ａ、受光部１７２Ｂ及びバン
ドパスフィルター１７２Ｃ等により構成される。
このような測定部１７２では、メディアＭ又は白色板１９にて反射された光、又は、導
光窓３１及び反射機構１８によって入射された光を、バンドパスフィルター１７２Ｃを介
して分光デバイス１７２Ａに導き、分光デバイス１７２Ａにより分光された所定波長の光
を受光部１７２Ｂにて受光させる。
バンドパスフィルター１７２Ｃは、可視光領域の光のみ透過させるフィルターであり、
測色に不要な波長の光をカットすることができる。バンドパスフィルター１７２Ｃの光学
膜には、ＴｉＯ２やＳｉＯ２等の誘電体多層膜、又は、色ガラス（熱線カットフィルター
）などを用いることができる。
【００３４】
［分光デバイスの構成］
図６は、分光デバイス１７２Ａの概略構成を示す断面図である。
分光デバイス１７２Ａは、筐体６と、筐体６の内部に収納された波長可変干渉フィルタ
ー５とを備えている。
【００３５】
［波長可変干渉フィルターの構成］
波長可変干渉フィルター５は、波長可変型のファブリーペローエタロン素子である。本
実施形態では、波長可変干渉フィルター５が筐体６に収納された状態で分光器１７に配置
される例を示すが、例えば波長可変干渉フィルター５が直接分光器１７に配置される構成
などとしてもよい。
この波長可変干渉フィルター５は、図６に示すように、可視光に対して透光性を有する
固定基板５１及び可動基板５２を備え、これらの固定基板５１及び可動基板５２が、接合
膜５３により接合されることで、一体的に構成されている。固定基板５１には、エッチン
グにより形成された第一溝部５１１、及び第一溝部５１１より溝深さが浅い第二溝部５１
２が設けられ、第一溝部５１１には固定電極５６１が、第二溝部５１２には固定反射膜５
４がそれぞれ設けられている。固定反射膜５４は、例えばＡｇ等の金属膜、Ａｇ合金等の
合金膜、高屈折層及び低屈折層を積層した誘電体多層膜、又は、金属膜（合金膜）と誘電
体多層膜を積層した積層体により構成されている。
【００３６】
可動基板５２は、可動部５２１と、可動部５２１の外に設けられ、可動部５２１を保持
する保持部５２２とを備えている。可動部５２１の固定基板５１に対向する面には、固定
電極５６１に対向する可動電極５６２と、固定反射膜５４に対向する可動反射膜５５とが
設けられている。可動反射膜５５としては、上述した固定反射膜５４と同一の構成の反射
膜を用いることができる。保持部５２２は、可動部５２１の周囲を囲うダイアフラムであ
り、可動部５２１よりも厚み寸法が小さく形成されている。
そして、上記のような波長可変干渉フィルター５では、固定電極５６１及び可動電極５
６２により静電アクチュエーター５６が構成され、この静電アクチュエーター５６に電圧
を印加することで、固定反射膜５４及び可動反射膜５５間のギャップＧの間隔寸法を変更
することが可能となる。また、可動基板５２の外周部（固定基板５１に対向しない領域）
には、固定電極５６１や可動電極５６２と個別に接続された複数の電極パッド５７が設け
られている。
【００３７】
［筐体の構成］
筐体６は、図６に示すように、ベース６１と、ガラス基板６２と、を備えている。これ
らのベース６１及びガラス基板６２は、例えば低融点ガラス接合等により接合されること
で、内部に収容空間が形成されており、この収容空間内に波長可変干渉フィルター５が収
納される。
【００３８】
ベース６１は、例えば薄板状のセラミックを積層することで構成され、波長可変干渉フ
ィルター５を収納可能な凹部６１１を有する。波長可変干渉フィルター５は、ベース６１
の凹部６１１の例えば側面に固定材６４により固定されている。ベース６１の凹部６１１
の底面には、光通過孔６１２が設けられ、この光通過孔６１２を覆うカバーガラス６３が
接合されている。
また、ベース６１には、波長可変干渉フィルター５の電極パッド５７に接続される内側
端子部６１３が設けられており、この内側端子部６１３は、導通孔６１４を介して、ベー
ス６１の外側に設けられた外側端子部６１５に接続されている。この外側端子部６１５は
、制御ユニット１５に電気的に接続されている。
【００３９】
［受光部の構成］
図３に戻り、受光部１７２Ｂは、波長可変干渉フィルター５の光軸上（反射膜５４，５
５の中心点を通る直線上）に配置され、当該波長可変干渉フィルター５を透過した光を受
光領域で受光して、受光量に応じた検出信号（電流値）を出力する。なお、受光部１７２
Ｂにより出力された検出信号は、Ｉ−Ｖ変換器（図示略）、増幅器（図示略）、及びＡＤ
変換器（図示略）を介して制御ユニット１５に入力される。
【００４０】
［反射機構の構成］
次に、反射機構１８について説明する。
反射機構１８は、図７に示すように、円盤状の反射鏡１８２と、反射鏡１８２の姿勢を
変更する姿勢変更部１８１とを備えている。
反射部としての反射鏡１８２は、導光窓３１から導入された環境光を測定部１７２に反
射させる。
姿勢変更部１８１は、ピエゾ素子又は電磁石などを備える駆動機構を備え、当該駆動機
構を駆動することで、反射鏡１８２を動かして姿勢を変更させる。例えば、姿勢変更部１
８１は、反射鏡１８２を、反射鏡１８２の平面中心を通る任意の径方向の直線を軸として
、反射鏡１８２を傾けることができる。
なお、導光窓３１、シャッター３２及び反射機構１８は、本発明の環境導光部を構成す
る。
【００４１】
本実施形態によれば、反射鏡１８２の姿勢に応じて、環境光を反射した反射光の向きを
変えることができ、これにより、測定部１７２に入射される当該反射光の光量を変更する
ことができる。
具体的には、当該反射光の光軸が、測定部１７２の光軸と一致する場合、測定部１７２
に入射される当該反射光の光量が最も大きくなる。そして、当該反射光の光軸と、測定部
１７２の光軸とが成す角度が大きくなるほど、測定部１７２に入射される当該反射光の光
量は小さくなる。
【００４２】
［制御ユニットの構成］
次に、制御ユニット１５について説明する。
制御ユニット１５は、図３に示すように、Ｉ／Ｆ１５１と、ユニット制御回路１５２と
、メモリー１５３と、ＣＰＵ（Central Processing Unit）１５４と、を含んで構成され
ている。
Ｉ／Ｆ１５１は、外部機器２０から入力される印刷データをＣＰＵ１５４に入力する。
ユニット制御回路１５２は、供給ユニット１１、搬送ユニット１２、印刷部１６、光源
部１７１、波長可変干渉フィルター５、受光部１７２Ｂ、キャリッジ移動ユニット１４、
スライド機構３３、姿勢変更部１８１をそれぞれ制御する制御回路を備えており、ＣＰＵ
１５４からの指令信号に基づいて、各部の動作を制御する。なお、各部の制御回路が、制
御ユニット１５とは別体に設けられ、制御ユニット１５に接続されていてもよい。
【００４３】
メモリー１５３は、プリンター１の動作を制御する各種プログラムや各種データが記憶
されている。
各種データとしては、例えば、波長可変干渉フィルター５を制御する際の、静電アクチ
ュエーター５６への印加電圧に対する、波長可変干渉フィルター５を透過する光の波長を
示したＶ−λデータや、予め学習したサンプル色の反射率（基準反射率）を記憶したデー
タや、印刷データとして含まれる色データに対する各インクの吐出量を記憶した印刷プロ
ファイルデータ等が挙げられる。また、メモリー１５３には、光源部１７１の各波長に対
する発光特性や、受光部１７２Ｂの各波長に対する受光特性（受光感度特性）や、白色板
１９及び反射鏡１８２の反射特性等が記憶されていてもよい。
【００４４】
図８は、プリンター本体１０の制御ユニット１５に含まれるＣＰＵ１５４の機能構成を
示したブロック図である。
ＣＰＵ１５４は、メモリー１５３に記憶された各種プログラムを読み出し実行すること
で、図８に示すように、走査制御部７１、印刷制御部７２、導光制御部７３、測定制御部
７４、光源制御部７５、測色部７６、及びキャリブレーション部７７等として機能する。
【００４５】
走査制御部７１は、供給ユニット１１、搬送ユニット１２、及びキャリッジ移動ユニッ
ト１４を駆動させる旨の指令信号をユニット制御回路１５２に出力する。これにより、ユ
ニット制御回路１５２は、供給ユニット１１のロール駆動モーターを駆動させて、メディ
アＭを搬送ユニット１２に供給させる。また、ユニット制御回路１５２は、搬送ユニット
１２の搬送モーターを駆動させて、メディアＭの所定領域をプラテン１２２のキャリッジ
１３に対向する位置まで、Ｙ方向に沿って搬送させる。また、ユニット制御回路１５２は
、キャリッジ移動ユニット１４のキャリッジモーター１４２を駆動させて、キャリッジ１
３をＸ方向に沿って移動させる。
【００４６】
印刷制御部７２は、例えば外部機器２０から入力された印刷データに基づいて、印刷部
１６を制御する旨の指令信号をユニット制御回路１５２に出力する。印刷制御部７２から
ユニット制御回路１５２に指令信号が出力されると、ユニット制御回路１５２は、印刷部
１６に印刷制御信号を出力し、ノズルに設けられたピエゾ素子を駆動させてメディアＭに
対してインクを吐出させる。なお、印刷を実施する際は、キャリッジ１３がＸ方向に沿っ
て移動されて、その移動中に印刷部１６からインクを吐出させてドットを形成するドット
形成動作と、メディアＭをＹ方向に搬送する搬送動作とを交互に繰り返し、複数のドット
から構成される画像をメディアＭに印刷する。
【００４７】
導光制御部７３は、シャッター３２の開閉及び反射鏡１８２の姿勢を制御する旨の指令
信号をユニット制御回路１５２に出力する。導光制御部７３からユニット制御回路１５２
にシャッター３２の開閉を制御する旨の指令信号が出力されると、ユニット制御回路１５
２は、スライド機構３３を駆動させて、シャッター３２を開閉させる。また、導光制御部
７３からユニット制御回路１５２に反射鏡１８２の姿勢を制御する旨の指令信号が出力さ
れると、ユニット制御回路１５２は、姿勢変更部１８１に駆動信号を出力し、反射鏡１８
２の姿勢を変更させ、測定部１７２に入射される環境光の光量を調整する。
【００４８】
測定制御部７４は、波長可変干渉フィルター５を透過させる光の波長に対する静電アク
チュエーター５６への駆動電圧を、メモリー１５３のＶ−λデータから読み出し、ユニッ
ト制御回路１５２に指令信号を出力する。これにより、ユニット制御回路１５２は、波長
可変干渉フィルター５に指令された駆動電圧を印加し、波長可変干渉フィルター５から所
望の透過波長の光が透過される。
そして、測定制御部７４は、受光部１７２Ｂで測定された測定値（受光量）を、静電ア
クチュエーター５６に印加した電圧（若しくは当該電圧に対応する波長可変干渉フィルタ
ー５を透過する光の波長）と関連付けてメモリー１５３に記憶する。
【００４９】
光源制御部７５は、光源部１７１を制御するための指令信号をユニット制御回路１５２
に出力する。光源制御部７５からユニット制御回路１５２に指令信号が出力されると、ユ
ニット制御回路１５２は、光源部１７１に光源制御信号を出力し、所定スペクトルの光を
出射させたり、消灯させたりする。
【００５０】
測色部７６は、分光測定処理により得られた複数波長の光に対する受光量に基づいて、
測定領域に対する色度を測定する。
キャリブレーション部７７は、測色部７６による測色結果に基づいて、印刷プロファイ
ルデータを補正（更新）する。
【００５１】
［分光測定方法］
次に、本実施形態のプリンター１における分光測定方法について、図面に基づいて説明
する。
図９は、プリンター１における分光測定方法を示すフローチャートである。
プリンター１による分光測定方法では、まず、メディアＭ上にカラーパッチを含むカラ
ーチャートを形成する（ステップＳ１）。
【００５２】
これには、走査制御部７１は、メディアＭを所定位置にセットする。すなわち、走査制
御部７１は、供給ユニット１１、搬送ユニット１２を制御して、メディアＭを副走査方向
（＋Ｙ方向）に搬送し、メディアＭの所定の印刷開始位置をプラテン１２２上にセットす
る。また、走査制御部７１は、キャリッジ１３を、初期位置（例えば主走査方向の−Ｘ側
端部）に移動させる。
【００５３】
この後、印刷制御部７２は、メモリー１５３から較正用印刷データを読み出し、走査制
御部７１による制御と同期して、カラーチャートをメディアＭ上に印刷する。
すなわち、走査制御部７１により、キャリッジ１３を＋Ｘ側に例えば一定速度で走査さ
せる。印刷制御部７２は、例えば走査開始からの時間に応じてキャリッジ１３の印刷部１
６の位置を特定し、較正用印刷データに基づいた所定位置に所定色のノズルからインクを
吐出させてドットを形成する（ドット形成動作）。また、走査制御部７１は、キャリッジ
１３が＋Ｘ側端部まで移動されると、供給ユニット１１及び搬送ユニット１２を制御して
メディアＭを＋Ｙ方向に搬送する（搬送動作）。そして、走査制御部７１は、キャリッジ
１３を−Ｘ方向に走査させ、印刷制御部７２は、較正用印刷データに基づいて、所定位置
にドットを形成する。
以上のようなドット形成動作と搬送動作を繰り返すことで、メディアＭ上にカラーチャ
ートが形成される。具体的には、複数色のカラーパッチがＸ方向に沿って隙間なく配置さ
れて構成されたカラーパッチ群を、Ｙ方向に沿って複数個配置させたカラーチャートが形
成される。
【００５４】
ステップＳ１の後、走査制御部７１は、キャリッジ１３を移動させて環境光測定領域Ｐ
１に位置させる（ステップＳ２）。
そして、制御ユニット１５は、環境光測定処理Ｓ３０を実行する。
図１０は、環境光測定処理Ｓ３０を示すフローチャートである。
図１０に示すように、環境光測定処理Ｓ３０が実行されると、導光制御部７３は、スラ
イド機構３３を制御してシャッター３２を移動させ、導光窓３１を開放する（ステップＳ
３１）。これにより、導光窓３１からケース部３０内に環境光が導かれ、当該環境光が反
射鏡１８２で反射されて測定部１７２に入射する。
そして、導光制御部７３は、反射鏡１８２の姿勢を初期状態に設定する（ステップＳ３
２）。本実施形態では、初期状態として、反射鏡１８２を、測定部１７２に入射する反射
光の光量が最も大きくなる姿勢、すなわち、反射光の光軸が測定部１７２の光軸と一致す
る姿勢とする。
【００５５】
次に、測定制御部７４は、環境光のスペクトルを測定する。この測定では、測定制御部
７４は、メモリー１５３に記憶されたＶ−λデータに基づいて、波長可変干渉フィルター
５の静電アクチュエーター５６に印加する駆動電圧を順次切り替え、４００ｎｍから７０
０ｎｍの可視光域における２０ｎｍ間隔となる１６バンドの測定波長に対する測定値（受
光量）を測定する。
【００５６】
具体的には、測定制御部７４は、測定波長の識別番号を示す変数「ｊ」を「１」に設定
する（ステップＳ３３）。これにより、１６バンドの測定波長のうち、１番目の測定波長
が選択される。
次に、測定制御部７４は、波長可変干渉フィルター５及び受光部１７２Ｂを制御して、
ｊ番目の測定波長に対する測定値（受光量）を測定する（ステップＳ３４）。
【００５７】
次に、測定制御部７４は、ステップＳ３４で測定された受光量が、予め設定された所定
上限値以下か否かを判定する（ステップＳ３５）。所定上限値は、本実施形態では、受光
部１７２Ｂで測定可能な光量の最大値に設定されている。
受光量が所定上限値を超える場合（ステップＳ３５でＮＯと判定）は、サチレーション
が起き、光量を正しく測定できない。このため、導光制御部７３は、測定部１７２に入射
する光を弱くするため、反射鏡１８２の姿勢を調整する（ステップＳ３６）。そして、測
定制御部７４は、処理をステップＳ３３に戻し、１番目の測定波長から測定をやり直す。
測定制御部７４は、ステップＳ３５でＹＥＳと判定した場合、測定値及び測定波長を、
メモリー１５３に記憶させる（ステップＳ３７）。
【００５８】
次に、測定制御部７４は、ｊ≧Ｎか否かを判定する（ステップＳ３８）。Ｎは、測定波
長の数であり、本実施形態では、１６である。
測定制御部７４は、ステップＳ３８でＮＯと判定した場合、「ｊ」を「ｊ＋１」に設定
する（ステップＳ３９）。そして、測定制御部７４は、処理をステップＳ３４に進め、次
の測定波長に対する光量を測定する。これにより、各測定波長に対する光量の測定が順次
行われる。
そして、すべての測定波長に対して光量の測定が行われ、ステップＳ３８でＹＥＳと判
定されると、導光制御部７３は、スライド機構３３を制御してシャッター３２を移動させ
、導光窓３１を閉塞する（ステップＳ４０）。そして、制御ユニット１５は、環境光測定
処理Ｓ３０を終了する。
このようにして、環境光のスペクトルが測定される。
【００５９】
図９に戻り、環境光測定処理Ｓ３０が終了した後、制御ユニット１５は、白色板１９を
分光測定する白色板測定処理Ｓ５０を実行する。
白色板測定処理Ｓ５０では、測定制御部７４は、４００ｎｍから７００ｎｍの可視光域
における２０ｎｍ間隔となる１６バンドの測定波長に対する測定値（受光量）を測定する
。
具体的には、図１１に示すように、白色板測定処理Ｓ５０が実行されると、光源制御部
７５は、メモリー１５３に記憶されている測定値を読み出して、測定した環境光のスペク
トルを取得する。そして、光源制御部７５は、光源部１７１の各光源１７１Ａの出力値を
制御し、当該環境光のスペクトルと同じスペクトルを有する照明光（測定光）を形成し、
白色板１９に照射する（ステップＳ５１）。
すなわち、光源制御部７５は、測定値が最大の測定波長に対応する光源１７１Ａの出力
値を、例えば１００％に設定し、残りの各測定波長に対応する光源１７１Ａの出力値を、
当該最大の測定波長の測定値に対する各測定波長の測定値の比率に応じて設定する。
【００６０】
次に、測定制御部７４は、「ｊ」を１に設定する（ステップＳ５２）。これにより、１
６バンドの測定波長のうち、１番目の測定波長が選択される。
次に、測定制御部７４は、波長可変干渉フィルター５及び受光部１７２Ｂを制御して、
ｊ番目の測定波長に対する測定値（受光量）を測定する（ステップＳ５３）。
【００６１】
次に、測定制御部７４は、ステップＳ５３で測定された受光量が、予め設定された所定
上限値以下か否かを判定する（ステップＳ５４）。
測定された光量が所定上限値を超えて、ステップＳ５４でＮＯと判定された場合、光量
を正しく測定できないため、光源制御部７５は、環境光を再現した状態を維持できるよう
に、測定光の各波長成分の光量比を維持したまま各波長成分の光量を所定量減少させる（
ステップＳ５５）。そして、測定制御部７４は、処理をステップＳ５２に戻し、１番目の
測定波長から測定をやり直す。
測定制御部７４は、ステップＳ５４でＹＥＳと判定した場合、測定値を校正基準値とし
て、測定波長と対応付けてメモリー１５３に記憶させる（ステップＳ５６）。
【００６２】
次に、測定制御部７４は、ｊ≧Ｎか否かを判定する（ステップＳ５７）。
測定制御部７４は、ステップＳ５７でＮＯと判定した場合、「ｊ」を「ｊ＋１」に設定
する（ステップＳ５８）。そして、測定制御部７４は、処理をステップＳ５３に進め、次
の測定波長に対する光量を測定する。これにより、各測定波長に対する光量の測定が順次
行われる。
そして、すべての測定波長に対して光量の測定が行われ、ステップＳ５７でＹＥＳと判
定されると、制御ユニット１５は、白色板測定処理Ｓ５０を終了する。
【００６３】
図９に戻り、白色板測定処理Ｓ５０が終了すると、制御ユニット１５は、カラーパッチ
測定処理を実行する（ステップＳ３）。
カラーパッチ測定処理では、走査制御部７１は、キャリッジ１３及びメディアＭを移動
させて、分光器１７の測定領域を、カラーパッチ上に順次位置させる。測定制御部７４は
、各カラーパッチに対して、光源制御部７５と同期して、分光測定を行う。この分光測定
は、図１１に示した白色板測定処理Ｓ５０と同様に行われ、各測定波長に対する光量の測
定値がメモリー１５３に記憶される。
【００６４】
そして、すべてのカラーパッチに対して測定が終了すると、光源制御部７５は、光源部
１７１を消灯させる（ステップＳ４）。
その後、測色部７６は、メモリー１５３に記憶された校正基準値と、各カラーパッチに
対する測定値とに基づいて、測色処理を実施する（ステップＳ５）。具体的には、測色部
７６は、各測定波長に対するカラーパッチの測定値及び校正基準値に基づいて、各測定波
長に対するカラーパッチの反射率を算出する。そして、測色部７６は、算出した反射率を
、メモリー１５３に予め記憶されている基準反射率と比較することで、測色値（例えばＸ
ＹＺ値、Ｌ＊ａ＊ｂ＊値等）を算出し、メモリー１５３に記憶する。また、キャリブレー
ション部７７は、各カラーパッチの測色結果に基づいて、メモリー１５３に記憶された印
刷プロファイルデータを更新する。
【００６５】
［第一実施形態の作用効果］
本実施形態によれば、光源制御部７５が、環境光のスペクトルと同じスペクトルの測定
光を形成できるため、当該測定光をカラーパッチに照射した際にカラーパッチから反射さ
れる光を測定部１７２が測定することで、カラーパッチを環境光下で観察した場合の色を
測定できる。このため、測定結果に基づいて色補正を行うことで、印刷部１６によって形
成した画像を環境光下で観察した場合の色ずれを低減できる。
また、白色板１９を用いた校正処理も、環境光のスペクトルと同じスペクトルの測定光
によって行われるため、当該校正処理を適切に実施できる。
【００６６】
本実施形態によれば、測定光をカラーパッチ又は白色板１９に照射した際に、カラーパ
ッチ又は白色板１９で反射される各波長成分の光量を、測定部１７２が測定可能な光量の
最大値以下とすることができるため、サチレーションを起こさずに各波長成分に対する測
定を実施できる。
【００６７】
本実施形態によれば、環境光の実測値に基づいて測定光を形成できるため、カラーパッ
チを環境光下で観察した場合の色をより正確に測定できる。
【００６８】
本実施形態によれば、ケース部３０の外側の環境光をケース部３０内に導いて測定する
ため、プリンター１が配置されている場所の環境光を正確に測定できる。
また、カラーパッチ又は白色板１９の分光測定を行う場合は、導光窓３１は閉塞される
ため、ケース部３０の外側の環境光がケース部３０内に入ることを回避でき、ノイズが少
ない状態で測定を実施できる。
【００６９】
本実施形態によれば、キャリッジ１３をＸ方向に沿って移動させるだけで、カラーパッ
チ又は白色板１９の測定及び環境光の測定を実施できるため、例えば、キャリッジ１３を
Ｘ方向だけではなく、Ｘ方向とは異なる方向にも移動させて、カラーパッチ又は白色板１
９の測定及び環境光の測定を実施する場合と比べて、プリンター１の構造を簡略化できる
。
【００７０】
本実施形態によれば、測定部１７２に入射する光の波長成分の光量が、測定可能な光量
の最大値を超える場合、姿勢変更部１８１によって反射鏡１８２の姿勢を変更して、測定
部１７２に入射する光量を小さくすることで、サチレーションを起こさずに測定部１７２
によって環境光の各波長成分の光量を測定できる。
【００７１】
なお、本実施形態では、光源部１７１は複数の波長の光を出射可能であるため、波長可
変干渉フィルター５の校正処理を、当該複数の波長の光を用いて実施することもできる。
【００７２】
［第二実施形態］
第一実施形態では、プリンター１は、環境光のスペクトルを、実際に環境光を測定して
取得している。これに対して、第二実施形態のプリンターは、予め設定された環境光のス
ペクトルデータを取得し、取得したスペクトルデータに基づいて測定光を形成し、分光測
定を行うこともできる。
なお、環境光のスペクトルを測定して測定光を形成するか、予め設定されたスペクトル
データに基づいて測定光を形成するかは、例えば、外部機器２０からの指令信号に応じて
選択できる。
第二実施形態のプリンターの構造及び回路構成は、第一実施形態と同じである。
【００７３】
第二実施形態のプリンターでは、メモリー１５３に、予め設定された複数種類の環境光
のスペクトルデータ（測定光に関する情報）が記憶されている。当該スペクトルデータは
、屋内や屋外等、所定の場所の環境光のスペクトルデータである。
また、第二実施形態のプリンターでは、ＣＰＵ１５４Ａは、図１２に示すように、第１
実施形態と同じ、走査制御部７１、印刷制御部７２、導光制御部７３、測定制御部７４、
光源制御部７５、測色部７６及びキャリブレーション部７７に加えて、情報取得部７８と
しても機能する。
情報取得部７８は、外部機器２０からの選択信号に基づいて、メモリー１５３に記憶さ
れた複数のスペクトルデータから、１つのスペクトルデータを選択して取得する。また、
情報取得部７８は、外部機器２０から予め設定されたスペクトルデータが入力された場合
、当該スペクトルデータを取得する。
【００７４】
第二実施形態のプリンターにおける分光測定方法では、予め設定されたスペクトルデー
タに基づいて測定光を形成して測定を行う場合、第１実施形態の分光測定方法と同じステ
ップＳ１，Ｓ２，白色板測定処理Ｓ５０，Ｓ３〜Ｓ５の処理が行われる。なお、環境光測
定処理Ｓ３０は行われない。
この場合、白色板測定処理Ｓ５０、及び、ステップＳ３のカラーパッチ測定処理におい
て、光源制御部７５は、光源部１７１を制御して、情報取得部７８が取得したスペクトル
データと同じスペクトルの測定光を出射させ、当該測定光に基づいて測定が行われる。
【００７５】
［第二実施形態の作用効果］
本実施形態によれば、第一実施形態と同じ構成により、同じ作用効果を得ることができ
る。さらに、次の作用効果を得ることができる。
すなわち、本実施形態によれば、例えば、プリンター１が配置されている場所と、メデ
ィアＭに形成された画像が観察される場所とが異なる場合でも、情報取得部７８が、当該
観察される場所の環境光のスペクトル情報を取得し、光源制御部７５が、当該スペクトル
情報と同じスペクトルの測定光を形成することで、カラーパッチを当該観察される場所の
環境光下で観察した場合の色を測定できる。このため、測定結果に基づいて色補正を行う
ことで、メディアＭに形成された画像を当該観察される場所の環境光下で観察した場合の
色ずれを低減できる。
【００７６】
［その他の実施形態］
なお、本発明は前述の実施形態に限定されるものではなく、本発明の目的を達成できる
範囲での変形、改良等は本発明に含まれるものである。
【００７７】
上記実施形態の環境光測定処理Ｓ３０において、ステップＳ３６で反射鏡１８２の姿勢
が初期状態から変更され、測定部１７２に入射する環境光の光量が減少している場合、測
定制御部７４は、当該減少率に基づいて測定値を補正してもよい。この場合、メモリー１
５３に、反射鏡１８２の姿勢と、反射鏡１８２によって測定部１７２に反射される環境光
の基準値に対する減少率との関係を示す姿勢データを記憶しておき、反射鏡１８２の姿勢
に基づいて、当該姿勢データから減少率を取得する。
また、上記実施形態の白色板測定処理Ｓ５０、及び、ステップＳ３のカラーパッチ測定
処理において、ステップＳ５５で測定光の光量を減少している場合、測定制御部７４は、
当該減少率に基づいて測定値を補正してもよい。
すなわち、測定制御部７４は、測定値を補正する補正部としても機能する。
【００７８】
上記実施形態の環境光測定処理Ｓ３０では、反射鏡１８２によって測定部１７２に反射
される環境光の光量が同じ状態で、各測定波長の測定が行われているが、これに限定され
ない。すなわち、各測定波長の測定毎に、測定値が受光部１７２Ｂで測定可能な最大値超
又は最小値未満とならないように、反射鏡１８２の姿勢を変化させ、測定部１７２に反射
される環境光の光量を増加させたり減少させたりしてもよい。この場合、測定制御部７４
は、当該光量の基準値に対する増加率または減少率に基づいて、測定値を補正する。
【００７９】
同様に、上記実施形態の白色板測定処理Ｓ５０、及び、ステップＳ３のカラーパッチ測
定処理においても、各測定波長の測定毎に、測定値が前記最大値超又は前記最小値未満と
ならないように、測定光の光量を増加させたり減少させたりしてもよい。この場合、測定
制御部７４は、当該光量の基準値に対する増加率又は減少率に基づいて、測定値を補正す
る。
例えば、測定光の光量が、所定下限値未満となる波長成分（弱光波長成分）に対する測
定を実施する際に、測定光の各波長成分の光量を増加させる。所定下限値は前記最小値に
設定することができる。これによれば、反射光の弱光波長成分の光量を前記最小値以上に
でき、当該弱光波長成分に対する測定を精度良く実施できる。この場合、測定光の各波長
成分の光量を、環境光を再現した状態を維持できるように、各波長成分の光量比を維持し
たまま増加する。そして、測定制御部７４は、測定値（受光量）を光量の増加率に基づい
て補正する。
これにより、例えば、光量のダイナミックレンジがより広い高性能な測定部を用いて、
測定光の光量を増加させず弱光波長成分に対する測定を行った場合と同様の測定値を、当
該高性能な測定部を用いることなく求めることができる。
【００８０】
上記実施形態の白色板測定処理Ｓ５０、及び、ステップＳ３のカラーパッチ測定処理に
おいて、受光量が上限値以下か否かの判定は実施しなくてもよい。この場合、受光量が上
限値を超えないように、測定光における波長成分の光量の最大値が、例えば測定部１７２
が測定可能な光量の上限値の８０％〜９０％となるように、測定光の光量を調整してもよ
い。
【００８１】
上記実施形態では、シャッター３２は、導光窓３１に対してスライドすることで導光窓
３１を開閉させているが、これに限定されない。
例えば、図１３に示すように、シャッター３２を、導光窓３１の外周縁に沿って設けら
れた軸３２１に取り付け、例えばシャッター駆動モーターに取り付けられたギアにより軸
３２１を回動させることで、シャッター３２を、軸３２１を中心に回動させ、導光窓３１
を開閉させてもよい。この場合、例えば、図１３に示すように、シャッター３２の導光窓
３１側の面３２Ａを反射面とすることで、環境光を面３２Ａで反射させ、導光窓３１を介
してケース部３０内に導く。そして、ケース部３０内に入射した環境光を、例えば、拡散
レンズ１８３によって均一化し、反射鏡１８２に入射させる。
【００８２】
また、上記実施形態では、導光窓３１は、ケース部３０の側面に設けられているが、こ
れに限定されない。
例えば、図１４に示すように、導光窓３１は、ケース部３０の天面に設けられていても
よい。この場合、例えば、図１４に示すように、導光窓３１の内側に、魚眼レンズ１８４
を設け、広範囲の環境光を集めて、ケース部３０に入射させる。そして、ケース部３０内
に入射した＋Ｚ方向に進む環境光を、反射鏡１８５によりＺ方向と直交する方向に反射さ
せて反射鏡１８２に入射させる。
【００８３】
上記実施形態において、反射鏡１８２に白色板を採用し、白色板測定処理Ｓ５０におい
て、当該反射鏡１８２に対して分光測定を行ってもよい。この場合、姿勢変更部１８１は
、環境光測定処理Ｓ３０を行う際は、反射鏡１８２の角度を、環境光を測定部１７２に反
射させる第一角度とし、白色板測定処理Ｓ５０を行う際は、反射鏡１８２の角度を、光源
部１７１から出射された測定光を測定部１７２に反射させる第二角度とする。
これによれば、反射鏡１８２と白色板とを個別に設ける場合と比べて、部品点数を削減
できる。
【００８４】
上記実施形態では、光源部１７１は、出射する光のピーク波長が異なる複数の光源１７
１Ａを備えることで、複数の波長の光を出射可能としているが、これに限定されない。例
えば、光源部１７１は、可視域から近赤外域をカバーする連続スペクトル光源であるタン
グステンランプと所定の波長を透過するフィルターとを組み合わせることで所定の波長の
光を出射する光源体を複数備えることで、複数の波長の光を出射可能とする構成であって
もよい。
【００８５】
上記実施形態において、光源部１７１は、光源１７１Ａに加えて、例えば１つ以上の連
続スペクトル光源（例えばタングステンランプなど）を備えていてもよい。この場合、光
源制御部７５は、次のように測定光を形成する。
すなわち、光源制御部７５は、環境光の強度が最小の波長に対応する光源１７１Ａの出
力値を、例えば０％に設定する。そして、残りの各波長に対応する光源１７１Ａの出力値
を、当該最小の波長の強度に対する各波長の強度の比率に応じて設定する。そして、各波
長の光量を、各波長の光量比を維持したまま、光源１７１Ａ及び連続スペクトル光源の出
力を調整して増加させる。そして、各波長の光量を、前記光量比を維持可能な上限まで増
加させることで、測定光を形成する。
【００８６】
上記実施形態では、制御ユニット１５による制御によりシャッター３２を自動的に移動
させているが、これに限定されない。例えば、手動でシャッター３２を移動させてもよい
。
【００８７】
上記実施形態では、導光窓３１を介してケース部３０内に導入された環境光を測定部１
７２が測定しているが、これに限定されない。例えば、分光器１７をケース部３０の外部
に移動させ、ケース部３０の外側で、環境光を測定部１７２が測定する構成としてもよい
。
【００８８】
上記実施形態では、光源部１７１は、１６種類の波長の光を出射可能に構成されている
が、これに限定されない。少なくとも８種類の波長の光を出射可能であれば、環境光のス
ペクトルを再現できるため、光源部１７１は、８種類以上の波長の光を出射可能に構成さ
れていればよい。
【００８９】
上記実施形態において、制御ユニット１５において、ユニット制御回路１５２が設けら
れる構成を例示したが、各ユニットの制御回路が制御ユニット１５とは別体で、各ユニッ
トにそれぞれ設けられていてもよい。例えば、分光器１７に波長可変干渉フィルター５を
制御するフィルター制御回路、受光部１７２Ｂを制御する受光制御回路が設けられる構成
としてもよい。また、分光器１７に、マイコンやＶ−λデータを記憶した記憶メモリーが
内蔵され、当該マイコンが測定制御部７４、光源制御部７５として機能してもよい。
【００９０】
上記実施形態において、印刷部１６として、インクタンクから供給されたインクを、ピ
エゾ素子を駆動させて吐出させるインクジェット型の印刷部１６を例示したが、これに限
定されない。例えば、印刷部１６としては、ヒーターによりインク内に気泡を発生させて
インクを吐出する構成や、超音波振動子によりインクを吐出させる構成としてもよい。
また、インクジェット方式のものに限定されず、例えば熱転写方式を用いたサーマルプ
リンターや、レーザープリンター、ドットインパクトプリンター等、如何なる印刷方式の
プリンターに対しても適用できる。
【００９１】
上記実施形態において、波長可変干渉フィルター５として、入射光から反射膜５４，５
５間のギャップＧに応じた波長の光を透過させる光透過型の波長可変干渉フィルター５を
例示したが、これに限定されない。例えば、反射膜５４、５５間のギャップＧに応じた波
長の光を反射させる光反射型の波長可変干渉フィルターを用いてもよい。また、その他の
形式の波長可変干渉フィルターを用いてもよい。
【００９２】
上記実施形態において、分光素子として、波長可変干渉フィルター５を例示したがこれ
に限定されない。分光素子としては、例えば、グレーティング、ＡＯＴＦ、ＬＣＴＦ等を
用いてもよい。
【００９３】
上記実施形態において、波長可変干渉フィルター５を備えた分光デバイス１７２Ａが、
測定部１７２に設けられる構成（後分光）を例示したがこれに限定されない。
例えば、光源部１７１内に波長可変干渉フィルター５、若しくは、波長可変干渉フィル
ター５を備えた分光デバイス１７２Ａを配置し、波長可変干渉フィルター５により分光さ
れた光をメディアＭに照射する構成（前分光）としてもよい。
【００９４】
上記実施形態において、測色装置を備えたプリンター１を例示したが、これに限定され
ない。例えば、画像形成部を備えず、メディアＭに対する測色処理のみを実施する測色装
置であってもよい。また、例えば工場等において製造された印刷物の品質検査を行う品質
検査装置に、本発明の測色装置を組み込んでもよく、その他、如何なる装置に本発明の測
色装置を組み込んでもよい。
【００９５】
その他、本発明の実施の際の具体的な構成は、本発明の目的を達成できる範囲で他の構
成等に適宜変更できる。
【符号の説明】
【００９６】
１…プリンター（画像形成装置）、５…波長可変干渉フィルター、１０…プリンター本
体、１３…キャリッジ、１５…制御ユニット、１６…印刷部（画像形成部）、１７…分光
器、１８…反射機構、１９…白色板、３０…ケース部、３１…導光窓、３２…シャッター
、７１…走査制御部、７２…印刷制御部、７３…導光制御部、７４…測定制御部（補正部
）、７５…光源制御部、７６…測色部、７７…キャリブレーション部、７８…情報取得部
、１７１…光源部、１７１Ａ…光源、１７２…測定部、１７２Ａ…分光デバイス、１７２
Ｂ…受光部、１７２Ｃ…バンドパスフィルター、１８１…姿勢変更部、１８２…反射鏡（
反射部）、Ｍ…メディア（対象物）、Ｐ１…環境光測定領域。
【図１】
2018169185.tif 000003
【図２】
2018169185.tif 000004
【図３】
2018169185.tif 000005
【図４】
2018169185.tif 000006
【図５】
2018169185.tif 000007
【図６】
2018169185.tif 000008
【図７】
2018169185.tif 000009
【図８】
2018169185.tif 000010
【図９】
2018169185.tif 000011
【図１０】
2018169185.tif 000012
【図１１】
2018169185.tif 000013
【図１２】
2018169185.tif 000014
【図１３】
2018169185.tif 000015
【図１４】
2018169185.tif 000016